(57)【特許請求の範囲】
【請求項１】
あらかじめ選択した各放送局の周波数をプリセットチャンネルとし、共通のアップ／ダウンキーが、同調周波数を各プリセットチャンネルのものへ順次切替えるプリセットチャンネルアップ／ダウンキーと、同調周波数を走査して放送局を選択する周波数スキャンモード用アップ／ダウンキーとに共用されている選局装置において、
選局モードについて、所定電界強度以上の電波の放送局を自動的にサーチするオート選局と、ユーザが、同調周波数を手動で変更するマニュアル選局とを用意し、選局モード用切替キーの操作により選局モードがオート選局とマニュアル選局とへ交互に切替えられ、前記アップ／ダウンキーは、通常は、プリセットチャンネルアップ／ダウンキーとして機能するようにし、選局モード用切替キーが操作された時から所定時間Ｔ１以内は、周波数スキャンモード用アップ／ダウンキーとして機能することを特徴とする選局装置。
【請求項２】
前記アップ／ダウンキーがプリセットチャンネルアップ／ダウンキーとして機能している期間Ｐに、前記選局モード用切替キーが操作されて、これにより、前記期間Ｐから、前記アップ／ダウンキーが周波数スキャンモード用アップ／ダウンキーとして機能している期間Ｓへ切替わったとき、該期間Ｓの最初の選局モードは、前回の選局モードに設定されることを特徴とする請求項１記載の選局装置。
【請求項３】
前記アップ／ダウンキーがプリセットチャンネルアップ／ダウンキーとして機能している期間Ｐに、前記選局モード用切替キーが操作されて、これにより、前記期間Ｐから、前記アップ／ダウンキーが周波数スキャンモード用アップ／ダウンキーとして機能している期間Ｓへ切替わったとき、該期間Ｓの最初の選局モードは、オート選局に設定されることを特徴とする請求項１記載の選局装置。
【請求項４】
前記アップ／ダウンキーが周波数スキャンモード用アップ／ダウンキーとして機能している期間Ｓに、前記選局モード用切替キーが操作されると、選局モードが切替えられることを特徴とする請求項２又は３記載の選局装置。
【請求項５】
前記アップ／ダウンキーが周波数スキャンモード用アップ／ダウンキーとして機能している期間Ｓに、前記アップ／ダウンキーが操作された場合、選局モードがオート選局であるときは、放送局のサーチ終了後から所定時間Ｔ２まで、期間Ｓが延長されることを特徴とする請求項４記載の選局装置。
【請求項６】
前記アップ／ダウンキーが周波数スキャンモード用アップ／ダウンキーとして機能している期間Ｓに、前記アップ／ダウンキーが操作された場合、選局モードがマニュアル選局であるときは、ユーザがアップ／ダウンキーの操作を終了してから所定時間Ｔ３まで、期間Ｓが延長されることを特徴とする請求項４又は５記載の選局装置。
【請求項７】
アップ／ダウンキーが、現在、（ａ）プリセットチャンネルアップ／ダウンキーとして機能していること、（ｂ）オート選局の選局モードでの周波数スキャンモード用アップ／ダウンキーとして機能していること、（ｃ）マニュアル選局の選局モードでの周波数スキャンモード用アップ／ダウンキーとして機能していることの別が、表示部に表示されるようになっていることを特徴とする請求項１〜６のいずれかに記載の選局装置。
【発明の詳細な説明】
【０００１】
【発明の属する技術分野】
この発明は、チューナ等の選局装置に係り、詳しくはキーの個数を低減できる選局装置に関するものである。
【０００２】
【従来の技術】
カーラジオ等のオーディオ機器では、選局に関して、プリセットチャンネルアップ／ダウンキーを操作する場合と、周波数スキャンモード（周波数スキャンモード及び選局モードについては、図７を参照して後述する。）用アップ／ダウンキーを操作する場合とがある。プリセットチャンネルアップ／ダウンキーの操作による選局では、ユーザがあらかじめ各チャンネルに希望の放送局の周波数を設定しておき、ユーザは、今回、聴取したい放送局の番組がスピーカから流れるまで、プリセットチャンネルアップ／ダウンキーを操作することになる。周波数スキャンモードにはオート同調とマニュアル同調とがあり、オート同調では、ユーザは、周波数スキャンモード用アップ／ダウンキーのアップ又はダウンを１回だけタッチ等の操作するのみで、受信周波数が自動的に上昇側又は下降側へ走査（スキャン）し、所定の電界強度以上の電波の周波数を検出すると、走査が停止して、該受信周波数の放送局の番組がスピーカから流れることになる。また、マニュアル同調では、ユーザは、周波数スキャンモード用アップ／ダウンキーのアップ又はダウンを少しずつ操作して、同調受信周波数を少しずつ変更して、聴取したい番組がないかをサーチしたり、あるいは、ユーザが聴取したい放送局の周波数を知っているときは、同調受信周波数が該放送局の周波数になるまで、周波数スキャンモード用アップ／ダウンキーを少しずつ操作し続けたりしている。
【０００３】
ユーザは、通常は、プリセットチャンネルアップ／ダウンキーにより選局しているものの、プリセットチャンネルアップ／ダウンキーの各チャンネルに希望の放送局の受信周波数を設定するときには周波数スキャンモード用アップ／ダウンキーが必要となる。また、オート同調による同調受信周波数の変更では、その変更時点において受信周波数の電波の電界強度が基準値未満である放送局はサーチから漏れてしまうので、受信感度が多少悪いラジオ放送であっても聴取したいと思うユーザに対処するには、マニュアル同調が必要である。したがって、周波数スキャンモード用アップ／ダウンキーの省略は困難である。
【０００４】
【発明が解決しようとする課題】
従来のオーディオ機器では、プリセットチャンネルアップ／ダウンキー及び周波数スキャンモード用アップ／ダウンキーが別個に必要となり、この分、全体のキー個数が増大するとともに、リモコンや本体の操作キー配列部面積の小さいオーディオ機器では、プリセットチャンネルアップ／ダウンキー及び周波数スキャンモード用アップ／ダウンキーのキー配置スペースを確保することが難しかったり、小さいスペースに多数のキーを配置して、美観を損ねたりしている。
【０００５】
この発明の目的は、上述の問題点を克服する選局装置を提供することである。
【０００６】
【課題を解決するための手段】
この発明の選局装置によれば、あらかじめ選択した各放送局の周波数をプリセットチャンネルとし、共通のアップ／ダウンキーが、同調周波数を各プリセットチャンネルのものへ順次切替えるプリセットチャンネルアップ／ダウンキーと、同調周波数を走査して放送局を選択する周波数スキャンモード用アップ／ダウンキーとに共用されている。
【０００７】
この選局装置は、ラジオ放送局を選局する場合だけでなく、テレビ放送局を選局する場合にも、適用可能である。すなわち、この選局装置は、ラジオチューナだけでなく、テレビチューナへの装備も可能である。選局装置が装備されるラジオチューナは、例えばカーラジオ、家庭等に据え置かれるコンポーネントステレオやシステムステレオ、さらに、携帯可能なオーディオ機器であったりする。
【０００８】
選局モード用切替キーは、アップキーとダウンキーとの対から構成され、選局モード用切替キーのアップキー及びダウンキーは、一般には、プリセットチャンネルアップ／ダウンキー及び周波数スキャンモード用アップ／ダウンキーのアップキー及びダウンキーにそれぞれ対応させる。なお、アップ／ダウンキーにおけるプリセットチャンネルアップ／ダウンキー及び周波数スキャンモード用アップ／ダウンキーの切替は後述のように選局モード用切替キーの操作に基づく場合の他に、アップ／ダウンキーのアップキー及びダウンキーを同時に所定時間押すと、プリセットチャンネルアップ／ダウンキー及び周波数スキャンモード用アップ／ダウンキーに交互に切替える方式等の採用も可能である．
【０００９】
こうして、アップ／ダウンキーをプリセットチャンネルアップ／ダウンキー及び周波数スキャンモード用アップ／ダウンキーに共用することにより、選局装置に必要なキーの合計個数を低減でき、操作キー配列部面積の小さいＡＶ機器にも支障なくプリセットチャンネルアップ／ダウンキー及び周波数スキャンモード用アップ／ダウンキーを配置でき、また、ＡＶ機器の操作部の意匠性向上に繋げることができる。
【００１０】
この発明の選局装置によれば、選局モードについて、所定電界強度以上の電波の放送局を自動的にサーチするオート選局と、ユーザが、同調周波数を手動で変更するマニュアル選局とを用意し、選局モード用切替キーの操作により選局モードがオート選局とマニュアル選局とへ交互に切替えられ、アップ／ダウンキーは、通常は、プリセットチャンネルアップ／ダウンキーとして機能するようにし、選局モード用切替キーの操作されて時から所定時間Ｔ１以内は、周波数スキャンモード用アップ／ダウンキーとして機能する。
【００１１】
ユーザは、通常、アップ／ダウンキーを操作するときは、プリセットチャンネルアップ／ダウンキーとして機能する。しかし、ユーザが選局モード用切替キーを操作すると、その操作時から所定時間Ｔ１内に、ユーザがアップ／ダウンキーを操作するときは、該アップ／ダウンキーは周波数スキャンモード用アップ／ダウンキーとして機能する。こうして、アップ／ダウンキーについてのプリセットチャンネルアップ／ダウンキー及び周波数スキャンモード用アップ／ダウンキーを支障なく使い分けることができる。
【００１２】
この発明の選局装置によれば、アップ／ダウンキーがプリセットチャンネルアップ／ダウンキーとして機能している期間Ｐに、選局モード用切替キーが操作されて、これにより、期間Ｐから、アップ／ダウンキーが周波数スキャンモード用アップ／ダウンキーとして機能している期間Ｓへ切替わったとき、該期間Ｓの最初の選局モードは、前回の選局モードに設定される。
【００１３】
選局モードには、オート選局とマニュアル選局とがあるので、期間Ｐに選局モード用切替キーが操作され、これにより、期間Ｐから期間Ｓへ切替わったときに、オート選局とマニュアル選局とのどちらの選局モードにするかが問題になる。ユーザは、今回の選局モードも、前回と同一の選局モードで使用することが多いので、期間Ｐから期間Ｓへ切替わった最初の選局モードを前回と同一のものに設定することにより、ユーザは今回の周波数スキャンモード用アップ／ダウンキーとしてのアップ／ダウンキーの使用についての混乱を防止できる。
【００１４】
この発明の選局装置によれば、アップ／ダウンキーがプリセットチャンネルアップ／ダウンキーとして機能している期間Ｐに、選局モード用切替キーが操作されて、これにより、期間Ｐから、アップ／ダウンキーが周波数スキャンモード用アップ／ダウンキーとして機能している期間Ｓへ切替わったとき、該期間Ｓの最初の選局モードは、オート選局に設定される。
【００１５】
選局モードには、オート選局とマニュアル選局とがあるので、期間Ｐに、選局モード用切替キーが操作されて、これにより、期間Ｐから期間Ｓへ切替わったときに、オート選局とマニュアル選局とのどちらの選局モードにするかが問題になる。一般のユーザは、周波数スキャンモード用アップ／ダウンキーを使用するとき、マニュアル選局よりはオート選局の方を頻繁に使用する傾向があり、アップ／ダウンキーが周波数スキャンモード用アップ／ダウンキーとしての使用へ切替わった最初の選局モードをオート選局に設定することにより、便宜性を高めることができる。
【００１６】
この発明の選局装置によれば、アップ／ダウンキーが周波数スキャンモード用アップ／ダウンキーとして機能している期間Ｓに、選局モード用切替キーが操作されると、選局モードが切替えられる。
【００１７】
こうして、期間Ｓにおいて周波数スキャンモード用アップ／ダウンキーの操作についてのオート選局時の操作とマニュアル選局の操作とを円滑に切替えることができる。
【００１８】
この発明の選局装置によれば、アップ／ダウンキーが周波数スキャンモード用アップ／ダウンキーとして機能している期間Ｓに、アップ／ダウンキーが操作された場合、選局モードがオート選局であるときは、放送局のサーチ終了後から所定時間Ｔ２まで、期間Ｓが延長される。
【００１９】
Ｔ２＝Ｔ１であってもよい。
【００２０】
ユーザは、オート選局で放送局をサーチして、所定の放送局が見つかり、それを暫く、視聴（該選局装置がテレビチューナに適用されているとき）又は聴取（該選局装置がラジオチューナに適用されているとき。）して、気に入らないと、再度、オート選局で別の放送局をサーチすることが一般である。そのようなときに、アップ／ダウンキーの操作が周波数スキャンモード用アップ／ダウンキーからプリセットチャンネルアップ／ダウンキーへ切替わっていれば、再度、選局モード用切替キーを操作しなければならず、ユーザにとり不便であり、この選局装置では、期間Ｓが、オート選局による放送局のサーチ終了後から所定時間Ｔ２まで、延長されるので、そのような不便を解消することができる。
【００２１】
この発明の選局装置によれば、アップ／ダウンキーが周波数スキャンモード用アップ／ダウンキーとして機能している期間Ｓに、アップ／ダウンキーが操作された場合、選局モードがマニュアル選局であるときは、ユーザがアップ／ダウンキーの操作を終了してから所定時間Ｔ３まで、期間Ｓが延長される。
【００２２】
Ｔ３＝Ｔ２であってもよい。
【００２３】
ユーザは、マニュアル選局で放送局をサーチして、所定の放送局が見つかり、それを暫く、視聴（該選局装置がテレビチューナに適用されているとき）又は聴取（該選局装置がラジオチューナに適用されているとき。）して、気に入らないと、再度、マニュアル選局で別の放送局をサーチすることが一般である。そのようなときに、アップ／ダウンキーの操作が周波数スキャンモード用アップ／ダウンキーからプリセットチャンネルアップ／ダウンキーへ切替わっていれば、再度、選局モード用切替キーを操作しなければならず、ユーザにとり不便であり、この選局装置では、期間Ｓが、マニュアル選局による放送局のサーチ終了後から所定時間Ｔ３まで、延長されるので、そのような不便を解消することができる。
【００２４】
この発明の選局装置によれば、アップ／ダウンキーが、現在、（ａ）プリセットチャンネルアップ／ダウンキーとして機能していること、（ｂ）オート選局の選局モードでの周波数スキャンモード用アップ／ダウンキーとして機能していること、（ｃ）マニュアル選局の選局モードでの周波数スキャンモード用アップ／ダウンキーとして機能していることの別が、表示部に表示されるようになっている。
【００２５】
アップ／ダウンキーに対する現在の操作が、（ａ）、（ｂ）、及び（ｃ）のいずれになるかが表示部に表示されるので、ユーザはその表示を見れば、支障なく、アップ／ダウンキーに対する現在の操作を知ることができるとともに、（ａ）、（ｂ）、及び（ｃ）の所望のものへ円滑に切替えることができる。
【００２６】
【発明の実施の形態】
以下、発明の実施の形態について図面を参照して説明する。以下の説明は、ラジオチューナと共にＣＤプレーヤ等を一体化したオーディオ機器についてのものである。該オーディオ機器のリモコンのキー配列部には、プリセットチャンネルアップ／ダウンキー、ＦＭとＡＭとのバンドを切替える操作キー、及び選局モードをオート選局とマニュアル選局とへ切替える選局モード用切替キー等、各種キーが装備されている。そして、重要点は、プリセットチャンネルアップ／ダウンキーは周波数スキャンモード用アップ／ダウンキーを兼ねていることである。
【００２７】
最初に、図７において、選局モード、周波数モード、表示、及び動作の関係を説明する。選局モードには、オート選局（ＡＵＴＯ）とマニュアル選局（ＭＡＮＵＡＬ）との２個がある。周波数スキャンモードには、通常（ＮＯＲＭＡＬ）、オート同調（ＡＵＴＯ  ＴＵＮＩＮＧ）、及びマニュアル同調（ＭＡＮＵＡＬ  ＴＵＮＩＮＧ）の３個がある。周波数スキャンモードの通常とは、周波数動作無し、すなわち周波数走査（周波数スキャン）が停止している状態を言っている。オート選局における周波数スキャンモードには通常とオート同調との２個があり、マニュアル選局における周波数スキャンモードには通常とマニュアル同調との２個がある。表示には、通常表示、ＭＡＮＵＡＬ表示、及びＡＵＴＯ表示があり、それぞれ後述の図２のＡ１１，Ａ１３，Ａ１４に例示されている。図７の備考については、後述のフローチャートで詳述する。
【００２８】
図１は選局制御についての全体の概略フローチャートである。ブロックＡ，Ｂ，Ｃを順番に循環するようになっている。ブロックＡでは、該オーディオ機器のディスプレーにおける表示制御を行う。ブロックＢではユーザによるキー操作に対しての所定の処理を行う。ブロックＣでは、タイマ処理を行う。
【００２９】
図２は図１の表示制御ブロックＡについての詳細なフローチャートである。なお、該オーディオ機器における現在の選局は、プリセットチャンネルの３チャンネル（該オーディオ機器では、ラジオ放送局のプリセットは１０以上可能であり、３チャンネルの実際の表示は”０３”と十の位の０を付加して行われる。）で、その受信周波数は８０．０ＭＨｚを仮定している。
【００３０】
図３、図４、及び図５は図１のユーザによるキー操作に対する処理ブロックＢについての第１、第２、及び第３の範囲の詳細なフローチャートである。図６は図１のタイマ処理ブロックＣについての詳細なフローチャートである。なお、図４及び図５は、プリセットチャンネルアップ／ダウンキーの互いに対関係のアップキー及びダウンキーの内、アップキーが操作されたときを代表して示し、ダウンキーを操作したときのフローチャートは省略してあるが、ダウンキーを操作したときのフローチャートは図４及び図５に対して周波数ＵＰが周波数ＤＯＷＮに、Ｂ４５のＰｃｈ＝Ｐｃｈ＋１がＰｃｈ＝Ｐｃｈ−１に置き換わるのみである。
【００３１】
最初に、通常時の作動について説明する。通常時は、プリセットチャンネルアップ／ダウンキーは、本来のプリセットチャンネルアップ／ダウンキーとして機能するようになっている。通常時は、オート／マニュアル５秒表示タイマは作動しておらず、図２において、Ａ１０はＮＯで通過し、Ａ１１における通常表示、すなわち”０３  ８０．０ＭＨｚ”と”ＴＵＮＥＲ”の二段併記が行われる。表示の”ＴＵＮＥＲ”は、プリセットチャンネルアップ／ダウンキーの操作に対してプリセットチャンネルアップ／ダウンキーが周波数スキャンモード用アップ／ダウンキーとして使用されずに、本来のプリセットチャンネルアップ／ダウンキーとして使用される状態をユーザへ知らせている。さらに、オート／マニュアル５秒表示タイマが作動していないことにより、Ａ１８は、何も処理されることなく、通過し、さらに、Ａ１９はＮＯで通過する。通常時は、選局モード用切替キーとしてのオート／マニュアルキーが操作されない限り、図３において、Ｂ１０はＮＯで通過する。通常時に、選局モード用切替キーとしてのオート／マニュアルキーが操作されるときは、後述する。通常時に、ユーザがプリセットチャンネルアップ／ダウンキーを操作しなければ、図４のＢ３０をＮＯで通過するが、ユーザがプリセットチャンネルアップ／ダウンキー（該フローチャートでは、プリセットチャンネルアップ／ダウンキーの内のプリセットチャンネルアップキーを操作したことを想定している。）を操作すると、Ｂ３０におけるプリセットチャンネルアップキー（Ｐｃｈ  ＵＰキー）がオンか否かの判定かＹＥＳとなり、Ｂ３１，Ｂ３８はＮＯで通過し、Ｂ４５においてプリセットチャンネルＰｃｈが１だけインクレメントされ、Ｂ４６において、更新されたＰｃｈについてのメモリデータ（＝該Ｐｃｈの受信周波数データ）が周波数データＲに代入される。なお、周波数データＲは、該チューナの現在の同調周波数を決めるものであり、周波数データＲに設定されている周波数のラジオ放送がスピーカから出力されるラジオ放送となる。図５において、Ｂ５０では、プリセットチャンネルアップキーがオフにされたか、すなわちプリセットチャンネルアップキーの押し込み操作が解除された否かを判定し、Ｂ５１では、周波数スキャンモードがマニュアル同調（ＭＡＮＵＡＬ  ＴＵＮＩＮＧ）であるか否かを判定する。通常時で、プリセットチャンネルアップキーが操作されなかったときは、すなわち図４のＢ３０をＮＯで通過して来たときは、Ｂ５０をＮＯで通過し、通常時でかつプリセットチャンネルアップキーが操作されたときは、すなわち図４のＢ４５，Ｂ４６を経由していて、かつ今回、プリセットチャンネルアップキーをオフ、すなわちプリセットチャンネルアップキーの押し操作を解除したときは、Ｂ５０をＹＥＳで通過し、また、プリセットチャンネルアップ／ダウンキーが本来の機能としてのプリセットチャンネルアップ／ダウンキーで機能中は、周波数スキャンモードは無しであるので、Ｂ５１はＮＯで通過する。図６のＣ１０では、周波数アップタイマがタイムアップしたか否か、すなわち周波数アップタイマがスタートから所定時間ΔＴ（ΔＴは例えば２００ｍｓｅｃとか５００ｍｓｅｃ）を計測したか否かを判��する。通常時は、周波数アップタイマは作動しておらず、Ｃ１０はＮＯで通過する。
【００３２】
通常時において、ユーザがオート／マニュアルキーを操作したとき（以下、「ケースＸ１」と言う。）を説明する。ケースＸ１では、図３のＢ１０はＹＥＳで通過し、ケースＸ１では、表示部における表示は通常表示（図２のＡ１１）であるので、図３のＢ１２の判定：表示部における表示が”ＡＵＴＯ”表示中であるか否か、及びＢ１８の判定：表示部における表示が”ＭＡＮＵＡＬ”表示中であるか否かの両判定を共にＮＯで通過し、結果、Ｂ２３でオート／マニュアル５秒表示タイマがリセット後、直ちにスタートされる。以下、オート／マニュアル５秒表示タイマの作動中を、「ケースＸ２」と言う。ケースＸ２では、すなわち、オート／マニュアル５秒表示タイマの作動中では、プリセットチャンネルアップ／ダウンキーは、後述するように、プリセットチャンネルアップ／ダウンキーとしてではなく、周波数スキャンモード用アップ／ダウンキーとして機能する。
【００３３】
ケースＸ２では、表示制御ブロックＡを通過するごとに、表示部において選局モードの表示処理が行われる。すなわち、ケースＸ２では、Ａ１０の判定がＹＥＳになり、Ａ１２において選局モードがオート選局か否かを判定される。ケースＸ１からケースＸ２へ切替わったときの最初の選局モードは、プリセットチャンネルアップ／ダウンキーを周波数スキャンモード用アップ／ダウンキーとして機能させた前回の最後の選局モード（この最後の選局モードの情報は所定メモリＭに記憶され、Ａ１２の判断時に、該所定メモリＭから呼び出される。）にされるか、又は一律にオート選局とされる。なお、該オーディオ機器は、出荷時では、該所定メモリＭに記憶されている選局モード情報はオート選局になっている。ケースＸ２において、選局モードがオート選局であるとすると、Ａ１２はＹＥＳで通過し、Ａ１４では、オーディオの表示部は、ＡＵＴＯ（オート選局）の表示として、”０３  ８０．０ＭＨｚ”及び”ＡＵＴＯ”の二段併記が行われる。また、また、ケースＸ２において、選局モードがマニュアル選局であるとすると、Ａ１２の判定はＮＯとなり、Ａ１３では、オーディオの表示部は、ＭＡＮＵＡＬ（マニュアル選局）の表示として、”０３  ８０．０ＭＨｚ”及び”ＭＡＮＵＡＬ”の二段併記が行われる。
【００３４】
ケースＸ２では、表示制御ブロックＡを通過するごとに、オート／マニュアル５秒表示タイマの処理が行われる。すなわち、図２のＡ１８において、オート／マニュアル５秒表示タイマのカウント値（このカウント値はオート／マニュアル５秒表示タイマがリセット、スタートしてからの経過時間を意味する。）を所定量（この所定量は所定時間の経過を意味する。）、増加させる。Ａ１９では、オート／マニュアル５秒表示タイマが５秒を計測したか否かを判定し、該判定がＮＯであれば、ブロックＡを終了し、該判定がＹＥＳであれば、Ａ２０へ進む。Ａ２０では、オート／マニュアル５秒表示タイマのカウントを停止させる。オート／マニュアル５秒表示タイマのカウント停止により、プリセットチャンネルアップ／ダウンキーは、周波数スキャンモード用アップ／ダウンキーとしてではなく、本来のプリセットチャンネルアップ／ダウンキーとして機能する。
【００３５】
ケースＸ２では、プリセットチャンネルアップ／ダウンキーは、前述したように、周波数スキャンモード用アップ／ダウンキーとして機能し、ユーザがオート／マニュアルキーを操作するごとに、選局モードがオート選局とマニュアル選局とへ交互に切替えられる。すなわち、ユーザがオート／マニュアルキーを操作すると、図３のＢ１０における判定：オート／マニュアルキーがオン（操作）されたか否かがＹＥＳとなり、Ｂ１２におけるオート選局表示（図２のＡ１４）中か否かの判定と、Ｂ１８におけるマニュアル選局表示（図２のＡ１３）中か否かの判定とが行われる。選局モードについて、オート選局の表示中であれば、Ｂ１３において、選局モードはマニュアル選局へ切替えられる。また、選局モードについてマニュアル選局の表示中であれば、Ｂ１９において、選局モードはオート選局へ切替えられる。Ｂ１４又はＢ１９の処理の後、Ｂ２３において、オート／マニュアル５秒表示タイマがリセット後、直ちにスタートされる。
【００３６】
前述したように、ケースＸ２において、プリセットチャンネルアップ／ダウンキーは、周波数スキャンモード用アップ／ダウンキーとして機能している。したがって、ケースＸ２において、ユーザがプリセットチャンネルアップキーを操作すると、Ｂ３０の判定：プリセットチャンネルアップキーがオンにされた（押された）か否かの判定がＹＥＳとなり、Ｂ３１の判定：オート選局表示（図２のＡ１４）中か否かの判定、及びＢ３５の判定：マニュアル選局表示（図２のＡ１３）中か否かの判定が実施される。オート選局表示中であれば、Ｂ３１の判定がＹＥＳとなり、Ｂ３２へ進んで、周波数スキャンモードをオート同調（ＡＵＴＯ  ＴＵＮＩＮＧ）にする。また、マニュアル選局表示中であれば、Ｂ３５の判定がＹＥＳとなり、Ｂ３６へ進んで、周波数スキャンモードをマニュアル同調（ＭＡＮＵＡＬ  ＴＵＮＩＮＧ）にする。周波数スキャンモードのオート同調及びマニュアル同調の具体的処理は、後の図６において説明する。Ｂ３２又はＢ３６の後、Ｂ３９へ進む。Ｂ３９では、周波数アップタイマをスタートさせる。以下、周波数アップタイマの作動中をケースＸ３と言う。周波数アップタイマは後述のＣ１０，Ｃ２０等において利用される。Ｂ４０では、オート／マニュアル５秒表示タイマがリセット後、直ちにスタートされる。
【００３７】
ケースＸ３において、プリセットチャンネルアップキーをオフにすると（オフにするとは、このオーディオ機器では、プリセットチャンネルアップキー（Ｐｃｈ  ＵＰキー）の押し操作を解除すること。）、Ｂ５０における判定：プリセットチャンネルアップキーがオフであるか否かが、ＹＥＳになり、Ｂ５１の判定：周波数スキャンモードがマニュアル同調であるか否かの判定が実施される。オート同調のときは、ブロックＢを直ちに終了し、マニュアル同調のときは、周波数スキャンモードをノーマル（ＮＯＲＭＡＬ：通常：ユーザのプリセットチャンネルアップ／ダウンキーの操作に応動して、スキャンの実施及び停止を行う。）にし（Ｂ５２）、周波数アップタイマをストップし（Ｂ５３）、オート／マニュアル５秒表示タイマをリセット後、直ちにスタートさせる（Ｂ５４）。こうして、マニュアル同調のときは、ユーザがプリセットチャンネルアップキーをオフにするや、周波数アップタイマがストップして、選局用の受信周波数の上昇が停止する。
【００３８】
ケースＸ３では、周波数アップタイマが例えば２００ｍｓｅｃとか５００ｍｓｅｃとかの所定時間の経過を測定すると、図６のＣ１０の判定：周波数アップタイマがタイムアップしているか否かがＹＥＳとなり、Ｃ１１、Ｃ１２、及びＣ３０の判定を受ける。すなわち、Ｃ１１では、周波数スキャンモードがオート同調であるか否かが判定され、Ｃ１２では、放送局を受信しているか否か、換言すると、現在同調させている受信周波数の電波が所定電界強度以上であるか否かが判定され、Ｃ３０では、周波数スキャンモードがマニュアル同調である否かが判定される。周波数スキャンモードがオート同調であり、かつ現在同調中の受信周波数の電波が所定電界強度以上であるときは、Ｃ１１，Ｃ１２の判定が共にＹＥＳとなり、Ｃ１３，Ｃ１４へ進む。Ｃ１３では、周波数スキャンモードをオート同調からノーマルへ変更し、Ｃ１４では、周波数アップタイマをストップさせ、すなわち、同調させる受信周波数の走査を中止する。なお、周波数アップタイマの作動に関して、Ｃ１４はＣ２１と対をなしている。周波数スキャンモードがオート同調であり、かつ現在同調中の受信周波数の電波が所定電界強度未満であるときは、Ｃ１１，Ｃ１２の判定がそれぞれＹＥＳ，ＮＯとなり、Ｃ２０において、同調受信周波数を所定量（該所定量は、ＦＭの走査のときは例えば０．１ＭＨｚ、ＡＭの走査のときは例えば９ＫＨｚである。）、上昇させ、Ｃ２１において周波数アップタイマをリセット後、直ちにスタート、すなわち次の周波数アップを行うタイミングを算出するために現在時刻から経過時間を周波数アップタイマにより測定する。周波数スキャンモードがマニュアル同調であるときは、Ｃ１１，Ｃ３０の判定がそれぞれＮＯ，ＹＥＳとなり、前述のＣ２０及びＣ２１の処理が行われる。Ｃ１４又はＣ２１の次は、Ｃ３３においてオート／マニュアル５秒表示タイマがリセット後、直ちにスタート、すなわち周波数スキャンモード用アップ／ダウンキーの機能を終了するタイミングを算出するために現在時刻から経過時間をオート／マニュアル５秒表示タイマにより測定する。Ｃ３３におけるオート／マニュアル５秒表示タイマの処理により、オート選局におけるオート同調やマニュアル選局におけるマニュアル同調により所定の選局が得られても、その得られた時刻からユーザが５秒以内にプリセットチャンネルアップキーを再走査すれば、オート選局におけるオート同調及びマニュアル選局におげるマニュアル同調が継続されることになる。
【図面の簡単な説明】
【図１】選局制御についての全体の概略フローチャートである。
【図２】図１の表示制御ブロックＡについての詳細なフローチャートである。
【図３】図１のユーザによるキー操作に対する処理ブロックＢについての第１の範囲の詳細なフローチャートである。
【図４】図１のユーザによるキー操作に対する処理ブロックＢについての第２の範囲の詳細なフローチャートである。
【図５】図１のユーザによるキー操作に対する処理ブロックＢについての第３の範囲の詳細なフローチャートである。
【図６】図１のタイマ処理ブロックＣについての詳細なフローチャートである。
【図７】選局モード、周波数モード、表示、及び動作の関係を示す図である。
【図１】
0003742967.tif 000002
【図２】
0003742967.tif 000003
【図３】
0003742967.tif 000004
【図４】
0003742967.tif 000005
【図５】
0003742967.tif 000006
【図６】
0003742967.tif 000007
【図７】
0003742967.tif 000008